(57)【要約】      （修正有）【課題】組み合わせの自由度および製作の効率が高い、テーブルおよび机を志向するユニット家具を提供する。【解決手段】単数または複数の第１ユニットおよび単数または複数の第２ユニットの組み合わせからなるユニット家具であって、第１ユニット１０Ａおよび第２ユニットは、第１ユニット要素２０と第２ユニット要素４０の組み合わせからなる。第１ユニット要素２０は、奥行方向Ｄに間隔を空けて配置される一対の第１脚２１と、一対の第１脚の高さ方向Ｈの一端部を繋ぐ天板２５とを備える。第２ユニット要素４０は、奥行方向に間隔を空けて設けられる一対の第２脚４１と、一対の第２脚を幅方向Ｗの一端部を繋ぐ連結材４３とを備える。【選択図】図２
0003223130.tif 000002
【実用新案登録請求の範囲】
【請求項１】
単数または複数の第１ユニット（１０Ａ）および単数または複数の第２ユニット（１０Ｂ）の組み合わせからなるユニット家具（１，２，３，４）であって、
前記第１ユニット（１０Ａ）および前記第２ユニット（１０Ｂ）は、第１ユニット要素（２０）と第２ユニット要素（４０）の組み合わせからなり、
前記第１ユニット要素（２０）は、奥行方向（Ｄ）に間隔を空けて配置される一対の第１脚（２１）と、一対の前記第１脚（２１）の高さ方向（Ｈ）の一端部を繋ぐ天板（２５）とを備え、
前記第２ユニット要素（４０）は、前記奥行方向（Ｄ）に間隔を空けて設けられる一対の第２脚（４１）と、一対の前記第２脚（４１）の幅方向（Ｗ）の一端部を繋ぐ連結材（４３）とを備える、ユニット家具（１，２，３，４）。
【請求項２】
前記第１ユニット（１０Ａ）は、
前記第１ユニット要素（２０）の前記第１脚（２１）の一方の周縁（２１Ａ）と一対の前記第２脚（４１）の一方の周縁（４１Ａ）を突き合せて、前記第１ユニット要素（２０）と前記第２ユニット要素（４０）が組み合わされる、
請求項１に記載のユニット家具。
【請求項３】
前記第２ユニット（１０Ｂ）は、
前記第１ユニット要素（２０）の前記第１脚（２１）の先端縁（２１Ｂ）と一対の前記第２脚（４１）の先端縁（４１Ｂ）を突き合せて、前記第１ユニット要素（２０）と前記第２ユニット要素（４０）が組み合わされる、
請求項１に記載のユニット家具。
【請求項４】
前記第１ユニット要素（２０）と前記第２ユニット要素（４０）は、
前記幅方向（Ｗ）、前記奥行方向（Ｄ）および前記高さ方向（Ｈ）の寸法が略等しく、かつ、
前記奥行方向（Ｄ）と前記幅方向（Ｗ）の寸法の比が２：１である、
請求項１〜請求項３のいずれか一項に記載のユニット家具。
【考案の詳細な説明】
【技術分野】
【０００１】
本考案は、複数のユニットを組み合わせることにより、所望する構造になるように構成されたユニット家具に関し、特にテーブルあるいは机としての利用に適したユニット家具に関するものである。
【背景技術】
【０００２】
ユニット家具は、組み合わせるユニットを選択することにより、組み合わされた全体構成としての寸法および外観を変更できる。したがって、ユニット家具は、ユーザのライフスタイルに合わせることができる。ここで、ユニットとは全体構成を形づくる単位をいう。
【０００３】
ユニット家具の一例として、特許文献１は、家庭内における幼児から大人までの成長に応じたライフスタイルの変化に対応可能なユニット家具を提案する。具体的には、矩形板状に設けられ、各角部が曲面状に形成された天井ユニット（３ａ）と、天井ユニット（３ａ）の下面に対して、立った状態に取り付けおよび取り外し可能に柱状に設けられ、横断面における各角部が曲面状に形成された柱ユニット（４）と、天井ユニット（３ａ）の下面に対して、立った状態に取り付けおよび取り外し可能に板状に設けられた壁面ユニット（７ａ、７ｂ）とを備える。天井ユニット（３ａ）は、その下面に柱ユニット（４）および壁面ユニット（７ａ、７ｂ）を取り付けて水平に保持されるように設けられている。特許文献１のユニット家具は、天井ユニット（３ａ）の下面側に幼児の秘密基地のような空間を形成すると共に、天井ユニット（３ａ）の上面側にロフトのような空間を形成するようになっている。つまり、特許文献１のユニット家具は、秘密基地のような空間およびロフトのような空間を形成するのに適している。
【先行技術文献】
【特許文献】
【０００４】
【特許文献１】特開２０１４−１９５４８６号公報
【考案の概要】
【考案が解決しようとする課題】
【０００５】
本考案は、組み合わせの自由度および製作の効率が高い、テーブルおよび机を志向するユニット家具を提供することを目的とする。
【課題を解決するための手段】
【０００６】
本考案に係るユニット家具は、単数または複数の第１ユニット（１０Ａ）および単数または複数の第２ユニット（１０Ｂ）の組み合わせからなる。
本考案に係る第１ユニット（１０Ａ）および第２ユニット（１０Ｂ）は、第１ユニット要素（２０）と第２ユニット要素（４０）の組み合わせからなる。
本考案に係る第１ユニット要素（２０）は、奥行方向（Ｄ）に間隔を空けて配置される一対の第１脚（２１）と、一対の第１脚（２１）の高さ方向（Ｈ）の一端部を繋ぐ天板（２５）とを備える。
また、本考案に係る第２ユニット要素（４０）は、奥行方向（Ｄ）に間隔を空けて設けられる一対の第２脚（４１）と、一対の第２脚（４１）の幅方向（Ｗ）の一端部を繋ぐ連結材（４３）とを備える。
【０００７】
本考案に係る第１ユニット（１０Ａ）は、好ましくは、第１ユニット要素（２０）の第１脚（２１）の一方の周縁（２１Ａ）と一対の第２脚（４１）の一方の周縁（４１Ａ）を突き合せて、第１ユニット要素（２０）と第２ユニット要素（４０）が組み合わされる。
本考案に係る第２ユニット（１０Ｂ）は、好ましくは、第１ユニット要素（２０）の第１脚（２１）の先端縁（２１Ｂ）と一対の第２脚（４１）の先端縁（４１Ｂ）を突き合せて、第１ユニット要素（２０）と第２ユニット要素（４０）が組み合わされる。
【０００８】
本考案に係る第１ユニット要素（２０）と第２ユニット要素（４０）は、好ましくは、幅方向（Ｗ）、奥行き方向（Ｄ）および高さ方向（Ｈ）の寸法が略等しく、かつ、奥行方向（Ｄ）と幅方向（Ｗ）の寸法の比が２：１である。
【考案の効果】
【０００９】
本考案によれば、組み合わせの自由度および製作の効率が高い、テーブルおよび机を志向するユニット家具を提供することができる。
【図面の簡単な説明】
【００１０】
【図１】本実施形態に係るユニット家具のいくつかの例を示す斜視図である。
【図２】本実施形態に係る第１ユニットを示す分解斜視図である。
【図３】第１ユニットを示し、（ａ）は平面図、（ｂ）は正面図、（ｃ）は側面図である。
【図４】本実施形態に係る第２ユニットを示す斜視図である。
【図５】第２ユニットを示し、（ａ）は正面図、（ｂ）は側面図である。
【図６】本実施形態において、天板を平面方向に機械的に拘束する構成例を示す平面図である。
【図７】本実施形態の第１ユニット１０Ａにおける、第１脚と第２脚の幅方向における連結構造を示す図である。
【図８】本実施形態の第１ユニット１０Ａにおける、第１脚と第２脚の幅方向における連結構造の構成要素を示す図である。
【図９】本実施形態の第２ユニット１０Ｂにおける、第１脚と第２脚の高さ方向における連結構造を示す図である。
【図１０】本実施形態の第２ユニット１０Ｂにおける、第１脚と第２脚の高さ方向における連結構造の構成要素を示す図である。
【考案を実施するための形態】
【００１１】
以下、添付図面を参照しながら、本考案の実施形態に係るユニット家具について説明する。
図１は、本実施形態に係るユニット家具の４つの例を示している。４つの例はともに、少なくとも２つのユニットを組み合わせることで、寸法および外観の異なるユニット家具１，２，３，４を構成する。
【００１２】
［第１ユニット１０Ａと第２ユニット１０Ｂ］
本実施形態は、図１に示すように、第１ユニット１０Ａと第２ユニット１０Ｂの２種類に区分される。第１ユニット１０Ａおよび第２ユニット１０Ｂは、ともに第１ユニット要素２０と第２ユニット要素４０を組み合わせる点では同じであるが、組み合わせ方が異なる。つまり、第１ユニット１０Ａは、第１ユニット要素２０の第１脚２１と第２ユニット要素４０の第２脚４１が、その周縁２１Ａ，４１Ａ同士で突き合わされるように組み合わされる。また、第２ユニット１０Ｂは、第１ユニット要素２０の第１脚２１と第２ユニット要素４０の第２脚４１が、その先端縁２１Ｂ，４１Ｂ同士で突き合わされるように組み合わされる。第２ユニット１０Ｂは第１ユニット１０Ａに比べて背が高い。
ユニット家具１，２，３，４において、幅方向Ｗ、奥行方向Ｄおよび高さ方向Ｈは、図１、図２、図４に示される通りに定義されるものとする。
【００１３】
［ユニット家具１〜ユニット家具４］
図１（ａ）のユニット家具１は、２つの第１ユニット１０Ａを奥行方向Ｄに連結するとともに、それぞれの第１ユニット１０Ａに引き出し６０を設けている。ユニット家具１は、その背面側を室内の壁面１００に押し当てるように位置することにより、収納が可能なベンチとして機能する。
【００１４】
なお、本実施形態において、ユニット家具１〜４における好適な用途に言及するが、同じ家具でもユーザによっては異なる用途として利用することもある。例えば、図１（ａ）のユニット家具１について、ベンチとして利用する者もいれば、ローチェストとして利用する者もいる。したがって、本実施形態において言及する家具の用途はあくまで一例にすぎず、本考案に係る家具の用途を限定する意味に解釈されるものではない。
【００１５】
図１（ｂ）のユニット家具２は、２つの第１ユニット１０Ａを奥行方向Ｄに連結するとともに、連結された２つの第１ユニット１０Ａの組を高さ方向Ｈに２段に積み重ねることで得られる。ユニット家具２は、高さ方向Ｈに第１ユニット１０Ａを積み重ねるので、ユニット家具１に比べて背が高く、例えばワークテーブルとして利用することができるし、キッチンカウンタとして利用することもできる。なお、積み重ねの段数は、２段に限るものではなく３段、４段とすることもできる。この場合には背が高くなるので、ユニット家具２を構成するユニット１０Ａを壁面１００に固定することにより、ユニット家具２の転倒を防止することが好ましい。一例として、後述する天板端部材３１を壁面１００に埋め込み、この天板端部材３１に天板２５を接続すれば背の高いユニット家具２の転倒を防止できる。
【００１６】
図１（ｃ）のユニット家具３は、４つの第１ユニット１０Ａを幅方向Ｗおよび奥行方向Ｄに格子状に並べて連結することで得られる。ユニット家具３は、幅方向Ｗおよび奥行方向Ｄに連結するので平面方向の面積が広く、高さ方向Ｈには積み重ねられていないので、比較的大人数の座卓としての利用に適している。
【００１７】
図１（ｄ）のユニット家具４は、５つの第２ユニット１０Ｂを幅方向Ｗおよび奥行方向Ｄに連結することで得られる。ユニット家具４は、４つの第２ユニット１０Ｂについては幅方向Ｗおよび奥行方向Ｄに格子状に並べて連結され、かつ、１つの第２ユニット１０Ｂについては４つの第２ユニット１０Ｂとは異なる向きで並べられている。ユニット家具４は、格子状に並ぶ４つの第２ユニット１０Ｂについては幅方向Ｗの外側に事務員が着席し、向きが異なる１つの第２ユニット１０Ｂについては奥行方向Ｄの一端部に事務員が着席する事務机として利用することができる。
【００１８】
以上説明したように、本実施形態によれば、同じ第１ユニット１０Ａを用いながらも、異なる寸法、外観のユニット家具１〜ユニット家具３を容易に作製できる。また、本実施形態によれば、第１ユニット１０Ａと同じ第１ユニット要素２０と第２ユニット要素４０を用いながらも、その組み合わせ方を変えた第２ユニット１０Ｂを用いることにより、ユニット家具１〜ユニット家具３とは異なる寸法、外観のユニット家具４を作製できる。以下、第１ユニット１０Ａおよび第２ユニット１０Ｂについて順に説明する。
【００１９】
［第１ユニット１０Ａ］
第１ユニット１０Ａは、図２および図３に示すように、第１ユニット要素２０と第２ユニット要素４０とを組み合わせて構成される。なお、第２ユニット１０Ｂも第１ユニット要素２０と第２ユニット要素４０とを組み合わせて構成される点では第１ユニット１０Ａと共通するが、後述するように、第１ユニット１０Ａとは組み合わせ方が異なる。
【００２０】
［第１ユニット要素２０］
第１ユニット要素２０は、奥行方向Ｄに間隔を空けて配置される一対の第１脚２１と、一対の第１脚２１の高さ方向Ｈの一端部を繋ぐ天板２５と、を備える。第１脚２１および天板２５は、それぞれに対応する部材を連結して作製することもできるし、全体を一体として作製することもできる。第１脚２１および天板２５は、木材、樹脂、金属などの単体材料から構成できるし、これら材料の組み合わせから構成することもできる。後述する第２ユニット要素４０も同様である。
【００２１】
第１脚２１は、平面形状が矩形の板材から構成される。第１脚２１の幅方向Ｗおよび高さ方向Ｈの寸法は以下の通りである。
幅方向Ｗ：Ｗ２１    高さ方向Ｈ：Ｈ２１
天板２５も平面形状が矩形の板材から構成される。天板２５の幅方向Ｗおよび高さ方向Ｈの寸法は以下の通りである。つまり、天板２５および第１ユニット１０Ａを平面視したときの幅方向Ｗの寸法と奥行方向Ｄの寸法の比（Ｗ２５：Ｄ２５）は１：２である。
幅方向Ｗ：Ｗ２５＝２×Ｗ２１  奥行方向Ｄ：Ｄ２５＝２×Ｗ２５
【００２２】
一対の第１脚２１は天板２５の幅方向Ｗの両端に偏って配置され、天板２５は幅方向Ｗの半分は第１脚２１で支持されるが、残りの半分は第１脚２１で支持されることがないためその下方は空隙をなしている。つまり、天板２５は、幅方向Ｗの半分が第１脚２１により支持される片持ち構造を有している。
【００２３】
第１ユニット要素２０の天板２５の周縁の１つの長辺Ｓ１、１つの短辺Ｓ２および長辺Ｓ１と短辺Ｓ２が交差する角部Ｃには、天板端部材３１、３３、３５が設けられる。角部Ｃに設けられる天板端部材３３は、危険防止のために角が丸められている。
【００２４】
［第２ユニット要素４０］
第２ユニット要素４０は、図２および図３に示すように、奥行方向Ｄに間隔を空けて設けられる一対の第２脚４１と、一対の第２脚４１を幅方向Ｗの一端部において繋ぐ連結材４３とを、備える。第２脚４１の一方の端部には支持片４２が設けられている。
【００２５】
第２脚４１は、平面形状が矩形の板材から構成される。第２脚４１の幅方向Ｗおよび高さ方向Ｈの寸法は以下の通りである。
幅方向Ｗ：Ｗ４１＝Ｗ２１  高さ方向Ｈ：Ｈ４１＝Ｈ２１
また、支持片４２は横断面の形状が矩形の棒状部材からなる。支持片４２の幅方向Ｗの寸法は以下の通りである。
幅方向Ｗ：Ｗ４２＝Ｗ２５
連結材４３は横断面が矩形の棒材から構成される。連結材４３に一対の第２脚４１の肉厚を加えた奥行方向Ｄの寸法は以下の通りである。
奥行方向Ｄ：Ｄ４５＝Ｄ２５＝２×Ｄ４２
以上の通りであり、第２ユニット１０Ｂを平面視したときの幅方向Ｗの寸法と奥行方向Ｄの寸法の比（Ｗ４２：Ｄ４５）は１：２である。
【００２６】
［第１ユニット要素２０と第２ユニット要素４０の組み合わせ方］
第１ユニット１０Ａにおいて、第１ユニット要素２０と第２ユニット要素４０は、図２および図３に示すように、一対の第１脚２１の一方の周縁２１Ａと一対の第２脚４１の一方の周縁４１Ａのそれぞれを突合せて組み合わされる。また、第１ユニット１０Ａにおいて、第１ユニット要素２０と第２ユニット要素４０は、第２脚４１の上端が天板２５の裏面に接し、かつ、第１脚２１の下端が支持片４２の上面に接するように組み合わされる。
以上のように組み合わされた第１ユニット１０Ａは、平面視すると、幅方向Ｗの寸法と奥行方向Ｄの寸法の比が１：２である。
【００２７】
［第２ユニット１０Ｂ］
次に、図４および図５を参照して、第２ユニット１０Ｂについて説明する。なお、第１ユニット要素２０と第２ユニット要素４０を用いることは第１ユニット１０Ａと同じなので、第１ユニット要素２０と第２ユニット要素４０の組み合わせ方について説明する。
第２ユニット１０Ｂは、第１ユニット要素２０の第１脚２１の先端と第２ユニット要素４０の第２脚４１の先端とが突き合わされており、高さ方向Ｈに２段に積み重ねられている。
以上のように組み合わされた第２ユニット１０Ｂは、平面視すると、幅方向Ｗの寸法と奥行方向Ｄの寸法の比が１：２である。これは第１ユニット１０Ａを平面視したときの寸法および寸法比と同じである。ただし、第２ユニット１０Ｂの高さ方向Ｈの寸法は、第１ユニット１０Ａの２倍である。
【００２８】
第２ユニット１０Ｂにおいて、第１脚２１から幅方向Ｗに突き出している天板２５より下方は部材が存在しない空間となっている。また、一対の支持片４２の間にも部材が存在しないので、当該空間はイスを置くのに適している。つまり、第２ユニット１０Ｂは、使用者がイスに着席して使用するテーブル、机として適している。
【００２９】
［連結構造］
ユニット家具１〜ユニット家具４は、以上の第１ユニット１０Ａ、第２ユニット１０Ｂを組み合わせて構成されるが、使用中にユニット同士が容易に離れることなく連結される必要がある。以下では、好ましい連結構造について説明する。説明するのは、隣接する天板２５の連結構造、第１ユニット１０Ａにおける第１脚２１と第２脚４１の連結構造および第２ユニット１０Ｂにおける第１脚２１と第２脚４１の連結構造である。以下、順に説明する。
【００３０】
［天板２５の連結構造］
天板２５の連結構造について、図６および図７を参照して説明する。
図６は、図１に示したユニット家具４のうら面を平面視した図である。５枚の天板２５が並んでいるが、各々を区別するために、図６に示すように、天板２５Ａ、天板２５Ｂ、天板２５Ｃ、天板２５Ｄ、天板２５Ｅと称する。
【００３１】
ユニット家具４の天板２５Ａ〜天板２５Ｅには、ユニット家具４の使用中に平面方向に引抜力Ｆ１〜Ｆ４が生じ得る。ここで説明する連結構造は、この引抜力Ｆ１〜Ｆ４が生じても、天板２５Ａ〜天板２５Ｅが相互に離れることなく連結状態を維持するためのものである。
この連結構造は、以下の２種類に区分される。以下、順に説明する。
（１）隣接する２つの天板２５の連結構造Ｌ１。
（２）天板２５Ａ〜天板２５Ｅのいずれかと天板端部材３１、３３、３５の連結構造Ｌ２。
【００３２】
［連結構造Ｌ１］
連結構造Ｌ１について、４つの天板２５Ａ〜天板２５Ｄが交差する部分を例に説明する。
この部分の連結構造Ｌ１は、天板２５Ａと天板２５Ｂの間の連結構造Ｌ１ＡＢと、天板２５Ｂと天板２５Ｃの間の連結構造Ｌ１ＢＣと、天板２５Ｃと天板２５Ｄの間の連結構造Ｌ１ＣＤと、天板２５Ｄと天板２５Ａの間の連結構造Ｌ１ＤＡとを備えている。
【００３３】
連結構造Ｌ１は、３つの天板２５Ｄ、天板２５Ａおよび天板２５Ｂにかけてくさび溝２６Ａが設けられる。３つの天板２５Ａ、天板２５Ｂおよび天板２５Ｃにかけて、また、３つの天板２５Ｂ、天板２５Ｃおよび天板２５Ｄにかけて、さらに、３つの天板２５Ｃ、天板２５Ｄおよび天板２５Ａにかけても、くさび溝２６Ｂ、くさび溝２６Ｃ、くさび溝２６Ｄが設けられる。くさび溝２６Ａ、くさび溝２６Ｂ、くさび溝２６Ｃおよびくさび溝２６Ｄは、幅方向Ｗ、奥行方向Ｄに交差、具体的には４５°の角度で交差するように形成されることで、井桁形状をなしている。
【００３４】
連結構造Ｌ１ＡＢにおいては、くさび溝２６Ａにくさび２７Ａが挿入されることで、引抜力Ｆ１に対する反力Ｎ１がくさび溝２６Ａとくさび２７Ａの間に生じ、天板２５Ａと天板２５Ｂの連結状態が維持される。同様に、連結構造Ｌ１ＢＣにおいては引抜力Ｆ２に対する反力Ｎ２が生じ、連結構造Ｌ１ＣＤにおいては引抜力Ｆ３に対する反力Ｎ３が生じ、連結構造Ｌ１ＤＡにおいては引抜力Ｆ４に対する反力Ｎ４が生じる。これにより、天板２５Ｂと天板２５Ｃの連結状態、天板２５Ｃと天板２５Ｄの連結状態および天板２５Ｄと天板２５Ａの連結状態が維持される。
【００３５】
［連結構造Ｌ２］
次に、連結構造Ｌ２について、天板２５Ｅの角部Ｃを例にして説明する。
この部分の連結構造Ｌ２は、天板２５Ｅと天板端部材３１の間の連結構造Ｌ２３１と、天板２５Ｅと天板端部材３５の間の連結構造Ｌ２３５とを備えている。
連結構造Ｌ２は、天板２５と天板端部材３３にかけてくさび溝２８Ａが設けられ、天板２５と天板端部材３５にかけてくさび溝２８Ｂが設けられる。くさび溝２８Ａは天板２５Ｄの長辺Ｓ１に４５°の角度で交差し、くさび溝２８Ｂは天板２５Ｄの短辺Ｓ２に４５°の角度で交差しており、くさび溝２８Ａとくさび溝２８Ｂは平行をなしている。
【００３６】
連結構造Ｌ２３１には、くさび溝２８Ａにくさび２９Ａが挿入されることで、天板２５Ｄと天板端部材３３の連結状態が維持される。同様に、連結構造Ｌ１３５には、くさび溝２８Ｂにくさび２９Ｂが挿入されることで、天板２５Ｄと天板端部材３５の連結状態が維持される。
【００３７】
以上で説明した連結構造Ｌ１が隣接する天板２５の間に設けられ、かつ、連結構造Ｌ２が天板２５と天板端部材３３，３５の間に設けられることで、天板２５および天板端部材３３，３５などの接合状態が維持される。
【００３８】
［第１ユニット１０Ａにおける第１脚２１と第２脚４１の連結構造］
次に、第１ユニット１０Ａにおいて幅方向Ｗに並設される第１脚２１と第２脚４１の連結構造Ｌ３について図７および図８を参照して説明する。連結構造Ｌ３は、第１脚２１と第２脚４１の間にロック片５０Ａおよびロック片５０Ｂを跨って設けることにより、第１脚２１と第２脚４１を連結する。
【００３９】
連結構造Ｌ３は、図７および図８に示すように、第１脚２１に形成される揺動溝２３Ａと、揺動溝２３Ａの内部を移動するロック片５０Ａと、揺動溝２３Ａおよびロック片５０Ａを覆う蓋５４Ａと、を備える。連結構造Ｌ３において、第２脚４１も第１脚２１と同様の構成を備えているため、第２脚４１についての説明は省略する。
揺動溝２３Ａは、図８に示すように、平面視してＵ字状の形状をなしており、その先端が第１脚２１の周縁２１Ａに開口している。揺動溝２３Ａの周囲には、蓋５４Ａが収容される収容溝２４Ａが形成される。揺動溝２３Ａのほうが収容溝２４Ａよりも深く掘られている。
【００４０】
ロック片５０Ａは、揺動溝２３Ａに対応して、平面視してＵ字状の形状をなしているロック本体５１Ａと、ロック本体５１Ａの延長方向の中央に設けられるつまみ５３Ａと、を備える。ロック片５０Ａは、ロック本体５１Ａが揺動溝２３Ａに収容されながら揺動溝２３Ａにそって移動することができる。
蓋５４Ａは、平面視して矩形の形状をなしており、ロック片５０Ａのつまみ５３Ａが貫通するＵ字状の操作溝５５Ａが形成されている。蓋５４Ａは収容溝２４Ａに嵌合され、この状態でつまみ５３Ａは操作溝５５Ａを貫通するので、第１ユニット１０Ａを組み立てる者はこのつまみ５３Ａを操作することでロック片５０Ａを移動させることができる。
【００４１】
次に、図７を参照して連結構造Ｌ３を得る手順を説明する。こ手順は、（ａ）、（ｂ）および（ｃ）の順に進む。
はじめは、第１脚２１と第２脚４１を突き合わせるように、第１脚２１と第２脚４１を位置決めさせる。このとき、第１脚２１のロック片５１Ａおよび第２脚４１のロック片５１Ｂはともに、つまみ５３Ａ，５３Ｂが蓋５４Ａ，５４Ｂの操作溝５５Ａ，５５Ｂの係止凹部５６Ａ，５６Ｂに入り込んでいる（図７（ａ））。
第１脚２１と第２脚４１を突き合わせると、第１脚２１のロック片５１Ａと第２脚４１のロック片５１Ａの双方のつまみ５３Ａ，５３Ｂを係止凹部５６Ａ，５６Ｂから引き出す（図７（ｂ））。これにより、第１脚２１のロック片５１Ａと第２脚４１のロック片５１Ｂが互いに接近し、揺動溝２３の内部を移動可能になる。
【００４２】
第１脚２１のロック片５１Ａと第２脚４１のロック片５１Ｂの双方のつまみ５３Ａ，５３Ｂを操作することにより、ロック片５１Ａを第１脚２１の揺動溝２３Ａと第２脚４１の揺動溝２３Ｂに跨るまで移動させ、かつ、ロック片５１Ｂを第２脚４１の揺動溝２３Ｂと第１脚２１の揺動溝２３Ａに跨るまで移動させる（図７（ｃ））。これで第１脚２１と第２脚４１は連結状態が得られる。
【００４３】
ロック状態にある第１脚２１と第２脚４１に互いに引き離す方向に外力Ｆが加わったとしても、ロック片５１Ａおよびロック片５１Ｂのそれぞれから図７（ｃ）に示すように反力Ｒが生じることで、ロック状態が維持される。
【００４４】
［第２ユニット１０Ｂにおける第１脚２１と第２脚４１の連結構造］
次に、第２ユニット１０Ｂにおいて高さ方向Ｈに併設される第１脚２１と第２脚４１の連結構造Ｌ４について図９および図１０を参照して説明する。連結構造Ｌ４は、第１脚２１に設けられる高さ方向Ｈにスライド可能なロック片６０を用いて、第１脚２１と第２脚４１を連結する。
【００４５】
連結構造Ｌ４は、図９および図１０に示すように、第１脚２１に形成されるスライド溝４４と、スライド溝４４の内部を高さ方向Ｈに移動するロック片６０と、スライド溝４４の幅方向Ｗの両端部を覆う蓋４６と、を備える。また、連結構造Ｌ４は、ロック片６０のロック突起６２を収容して保持する保持溝４５を備える。保持溝４５は、スライド溝４４の下端部に連なって設けられ、第１脚２１の表裏を貫通する。
【００４６】
また、連結構造Ｌ４は、図９および図１０に示すように、第２脚４１に形成されるスライド溝４７と、スライド溝４７の高さ方向Ｈの下端部に設けられ、ロック片６０のロック突起６２を収容して保持する保持溝４８とを備える。保持溝４８は、スライド溝４７の下端部に連なって受けられ、第２脚４１の表裏を貫通する。
【００４７】
連結構造Ｌ４は、ロック片６０を備える。このロック片６０は、図１０に示すように、平坦な支持部６１と、支持部６１の一端縁から支持部６１の厚さ方向に突き出すロック突起６２と、支持部６１の幅方向Ｗの両縁から突き出す回動軸６３と、を備える。
【００４８】
第２ユニット１０Ｂを構成するとき以外には、図９（ａ）に示すように、ロック片６０は第１脚２１の保持溝４５にロック突起６２が収容される待機状態にある。
第２ユニット１０Ｂを構成するときには、第１脚２１と第２脚４１を高さ方向Ｈに突き合わせた後に、図９（ｂ）に示すように、ロック片６０のロック突起６２を保持溝４５から引き出すとともにロック片６０を下方に移動させる。
ロック突起６２が第２脚４１の保持孔４８に対応する位置まで移動したならば、回動軸６３を中心にしてロック片６０を動作させて、図９（ｃ）に示すように、ロック突起６２を保持孔４８に差し込む。こうして、第１脚２１と第２脚４１はロック片６０により連結状態とされる。この連結状態は、一対の第１脚２１と一対の第２脚４１の双方において得られる。
【００４９】
［効果］
本実施形態が奏する効果を説明する。
本実施形態は、第１ユニット要素２０および第２ユニット要素４０の組み合わせ方および組み合わせる数を変更することにより、例えば図１（ａ）〜（ｄ）に示すように、多種多様な家具を効率よく作製することができる。したがって、本実施形態によれば、家族構成に変更があった場合、リフォーム、リノベーションを行った場合、または引越しした場合に、その場に適応できる家具を容易に得ることができる。さらに、飲食店、ホームパーティーにおいて、構成する第１ユニット１０Ａ、第２ユニット１０Ｂを増減することにより、顧客の人数に応じたテーブルを提供できる。
【００５０】
また、本実施形態は、基本的な形状および寸法が同じ第１ユニット要素２０と第２ユニット要素４０という２つの要素だけを用意すればよいので、多種多様な家具を構成するのに必要なコストが少なくてすむ。
また、第１ユニット要素２０および第２ユニット要素４０はともに、平面視した寸法を２：１としている。したがって、本実施形態によれば、図１（ｄ）に示すユニット家具４のように、同じ第２ユニット１０Ｂの向きを変えるだけで、種々の形態の平面形状を高い自由度で得ることができる。
【００５１】
第１ユニット１０Ａおよび第２ユニット１０Ｂともに、外側に向けた目立った突起物がなく、すっきりした外観を有している。したがって、第１ユニット１０Ａおよび第２ユニット１０Ｂを組み合わせてえられるユニット家具１〜４は、造り付け家具と似た印象を与える。
【００５２】
上記以外にも、本考案の主旨を逸脱しない限り、上記実施形態で挙げた構成を取捨選択したり、他の構成に適宜変更したりすることが可能である。
【符号の説明】
【００５３】
１，２，３，４  ユニット家具
１０Ａ，１０Ｂ  ユニット
２０    第１ユニット要素
２１    第１脚
２３Ａ，２３Ｂ  揺動溝
２４    収容溝
２５，２５Ａ，２５Ｂ，２５Ｃ，２５Ｄ，２５Ｅ  天板
２６Ａ，２６Ｂ，２６Ｃ，２６Ｄ，２８Ａ，２８Ｂ  くさび溝
２７Ａ，２７Ｂ，２７Ｃ，２７Ｄ，２９Ａ，２９Ｂ  くさび
３１，３３，３５  天板端部材
４０    第２ユニット要素
４１    第２脚
４２    支持片
４３    連結材
４４    スライド溝
４５    保持溝
４６    蓋
５０Ａ，５０Ｂ  ロック片
５１Ａ，５１Ｂ  ロック本体
５３Ａ，５３Ｂ  つまみ
５４    蓋
５５    操作溝
５６    係止凹部
６０    ロック片
６１    支持部
６２    ロック突起
６３    回動軸
１００  壁面
Ｃ    角部
Ｄ    奥行方向
Ｈ    高さ方向
Ｗ    幅方向
【図１】
0003223130.tif 000003
【図２】
0003223130.tif 000004
【図３】
0003223130.tif 000005
【図４】
0003223130.tif 000006
【図５】
0003223130.tif 000007
【図６】
0003223130.tif 000008
【図７】
0003223130.tif 000009
【図８】
0003223130.tif 000010
【図９】
0003223130.tif 000011
【図１０】
0003223130.tif 000012